(57)【要約】【課題】画像データの投写中でも、取得したい情報を投写画面上にリアルタイムに表示することが可能な投写装置、投写装置の制御方法及びプログラムを提供する。【解決手段】映像信号に、インターネット５０上から取得したデータを重畳させて投写データを生成する投写データ生成手段（ＯＳＤ処理部２１）と、投写画像のうち、重畳されたデータが投写されたＲＳＳ領域２２あるいは２４が選択されたことを認識する認識手段（位置情報取得部２６）と、ＲＳＳ領域２２あるいは２４に投写されたＲＳＳデータ１２０に関するコンテンツ情報１３０を投写する投写手段（画像形成部２７）と、を有する。【選択図】図２
2010197439.tif 000002
【特許請求の範囲】
【請求項１】
ネットワークに接続された投写装置であって、
画像データに、前記ネットワーク上から取得したデータを重畳させて投写データを生成する投写データ生成手段と、
投写画像のうち、重畳されたデータが投写された特定の領域が選択されたことを認識する認識手段と、
前記特定の領域に投写されたデータに関する詳細情報を投写する投写部と、を有することを特徴とする投写装置。
【請求項２】
前記ネットワーク上から取得したデータは、前記ネットワーク上に公開されているページの概要情報を含むＲＳＳデータであることを特徴とする請求項１に記載の投写装置。
【請求項３】
前記投写データ生成手段は、前記ネットワーク上から取得したデータを、複数の領域に分割して並列的に重畳させることを特徴とする請求項１又は２の何れかに記載の投写装置。
【請求項４】
前記認識手段は、レーザーポインターが選択した領域を撮像し、前記撮像データに基づき前記特定の領域を認識することを特徴とする請求項１〜３の何れか１項に記載の投写装置。
【請求項５】
ネットワークに接続された投写装置の制御方法であって、
画像データに、前記ネットワーク上から取得したデータを重畳させて投写データを生成する投写データ生成ステップと、
前記投写データを投写する第１の投写ステップと、
投写画像のうち、重畳されたデータが投写された特定の領域が選択されたことを認識する認識ステップと、
前記特定の領域に投写されたデータに関する詳細情報を投写する第２の投写ステップと、を含むこと特徴とする投写装置の制御方法。
【請求項６】
請求項５に記載の投写データ生成ステップ、第１の投写ステップ、認識ステップ及び第２の投写ステップと、を前記投写装置が備えるコンピューターに実行させることを特徴とするプログラム。
【発明の詳細な説明】
【技術分野】
【０００１】
本発明は、ネットワークに接続された投写装置、投写装置の制御方法及びプログラムに関する。
【背景技術】
【０００２】
近年、プロジェクターはインターネットに接続できる機能を備えているものがある。インターネット接続することによって、あらゆる分野での活用が可能となり、例えば店舗等で広告画像の配信を受け、各店舗での広告画像の投写を行うことができる。
【０００３】
特許文献１には、広告配信設備が、オペレーションセンターから発信された広告コンテンツを衛星通信電波として送信し、衛星通信サービスシステムが広告コンテンツ情報を衛星で受信し、地上に向けて送信する広告システムが記載されている。コンビニエンスストアー等の店舗は、衛星通信サービスシステムを通した広告コンテンツを、店内に設けたプロジェクター等から、店頭ガラス設備の店内側に吊るされたスクリーンに向けて広告情報を放映する。このようなシステムでは、常に広告を一方的に受け取って画像を投写している。
【先行技術文献】
【特許文献】
【０００４】
【特許文献１】特開２００３−４３９６３号公報
【発明の概要】
【発明が解決しようとする課題】
【０００５】
ところで、高級ブランド店のようにターゲットセグメントを比較的絞っている業界では店内の雰囲気を高めるような画像を投写する戦略がとられている。
【０００６】
一方、ビジネスマンなどをターゲットとするコンビニエンスストアーや飲食店などでは、一方的に情報配信をするだけでは顧客囲い込みが困難になりつつあり、新たな販売促進戦略を構築する必要性に迫られている。
【０００７】
本発明は、上記課題を解決するためになされたものであって、画像データの投写中でも、取得したい情報を投写画面上にリアルタイムに表示することが可能な投写装置、投写装置の制御方法及びプログラムを提供することを目的とする。
【課題を解決するための手段】
【０００８】
上記課題を解決することのできる本発明は、ネットワークに接続された投写装置であって、画像データに、前記ネットワーク上から取得したデータを重畳させて投写データを生成する投写データ生成手段と、投写画像のうち、重畳されたデータが投写された特定の領域が選択されたことを認識する認識手段と、前記特定の領域に投写されたデータに関する詳細情報を投写する投写手段と、を備えることを特徴とする。
上記構成によれば、ネットワーク上から取得したデータを画像データに重畳することができるので、画像データの投写中であっても取得したい情報を投写画面上にリアルタイムに表示することが可能となる。さらに、重畳されたデータに関する詳細情報を投写することができるので、リアルタイムに詳細な情報も取得することができる。
【０００９】
また、本発明において、前記ネットワーク上から取得したデータは、前記ネットワーク上に公開されているページの概要情報を含むＲＳＳデータであることを特徴とする。
上記構成によれば、画像データを投写しつつ、ＲＳＳ（Rich Site Summary 別名 RDF Site Summary Really Simple Summary）データを投写させることができるので、最新ニュースの見出しや記事リンク、番組情報、新製品情報、ブログの更新情報などを速やかに行うことができる。
【００１０】
また、本発明において、前記投写データ生成手段は、前記ネットワーク上から取得したデータを、複数の領域に分割して並列的に重畳させることを特徴とする。
上記構成によれば、ＲＳＳデータを複数の領域に分割して投写させることができる。したがって、１つの投写面で複数のユーザーが複数種類のＲＳＳデータを同時に参照することができる。
【００１１】
また、前記認識手段は、レーザーポインターが選択した領域を撮像し、前記撮像データに基づき前記特定の領域を認識することを特徴とする。
上記構成によれば、投写面から離れたところからでも、特定の領域を選択することができる。また、レーザーポインターであれば、選択したい領域を瞬時に選択することができる。
【００１２】
また、上記課題を解決することのできる本発明は、ネットワークに接続された投写装置の制御方法であって、画像データに、前記ネットワーク上から取得したデータを重畳させて投写データを生成する投写データ生成ステップと、前記投写データを投写する第１の投写ステップと、投写画像のうち、重畳されたデータが投写された特定の領域が選択されたことを認識する認識ステップと、前記特定の領域に投写されたデータに関する詳細情報を投写する第２の投写ステップと、を含むこと特徴とする。
【００１３】
また、上記課題を解決することのできる本発明は、上記記載の投写データ生成ステップ、第１の投写ステップ、認識ステップ及び第２の投写ステップと、を前記投写装置が備えるコンピューターに実行させることを特徴とする。
【図面の簡単な説明】
【００１４】
【図１】本実施形態の投写システムのネットワーク構成を示した図である。
【図２】投写システムを構成するプロジェクター及びコンテンツサーバーの機能構成を示すブロック図である。
【図３】投写面にＲＳＳデータが重畳された投写画像を投写している様子を示した図である。
【図４】特定のＲＳＳ領域をレーザーポインターで指示している様子を示した図である。
【図５】投写画像上にＲＳＳデータを投写する方法を説明するためのフローチャートである。
【図６】図５のフローにしたがってコンテンツ情報が投写された投写画像の一例を示した図である。
【図７】第２の実施形態の投写システムを構成するプロジェクター、プロジェクターのリモートコントローラー及びコンテンツサーバーの機能構成を示すブロック図である。
【図８】投写画像上にＲＳＳデータを投写する他の方法を説明するためのフローチャートである。
【発明を実施するための形態】
【００１５】
以下、本発明の投写装置及び投写装置の制御方法の一実施形態について詳細に説明する。
図１は、本実施形態のプロジェクターを含む投写システムのネットワーク構成を示した図である。図１に示すように、投写システム１は、プロジェクター１０と、コンテンツサーバー１００，２００，３００とを備えている。プロジェクター１０は、ルーター４０及びインターネット５０を介してコンテンツサーバー１００，２００，３００と通信可能に接続されている。
【００１６】
（投写システムの構成について）
図１に示すように、コンテンツサーバー１００，２００，３００は、投写システム１内に複数存在していてもよく、本実施例では３つ存在している場合を例示している。コンテンツサーバー１００，２００，３００は、ＨＴＭＬ言語等で記述された様々なＷｅｂページをコンテンツ情報として保持しており、いわゆるＷｅｂサイトを構築している。各コンテンツサーバー１００，２００，３００には、そのインターネット上の所在を表すＵＲＬ（Uniform Resource Locator）が一意に割り振られている。
【００１７】
各コンテンツサーバー１００，２００，３００は、コンテンツ情報を保持すると共に、そのコンテンツ情報の概要を表すＲＳＳデータを保持している。コンテンツサーバー１００，２００，３００は、このＲＳＳデータを定期的にインターネット上に配信している。「ＲＳＳ（Rich Site Summary）」とは、Ｗｅｂページの見出しや要約を表すメタデータを構造化して記述するＸＭＬベースのフォーマットであり、主にＷｅｂサイトの更新情報を公開するために使用されている。
【００１８】
図２は、投写システム１を主として構成するプロジェクター及びコンテンツサーバーの機能構成を示すブロック図である。なお、本実施形態では、コンテンツサーバー２００，３００については、その機能構成がコンテンツサーバー１００と同じであり説明が重複するため省略することとする。
【００１９】
（コンテンツサーバーについて）
コンテンツサーバー１００は、ＣＰＵやメモリ、ハードディスク等を備える汎用的なコンピューターである。ハードディスクには、様々なコンテンツ情報や、各コンテンツ情報に対応するＲＳＳデータが概要情報として記憶されている。ＣＰＵは、メモリをワークエリアとして用いつつ、ハードディスクにインストールされた所定の制御プログラムを実行する。
【００２０】
情報送受信部１１０は、ハードディスクに保持されているＲＳＳデータ１２０（例えば、コンテンツＡ概要情報１２１，コンテンツＢ概要情報１２２及びコンテンツＣ概要情報１２３）を、これに対応するコンテンツ情報１３０（コンテンツＡ，コンテンツＢ，コンテンツＣ）が更新されたタイミングや、１日に１回、１時間に１回などの定期的なタイミングで、インターネット５０上に配信する。
【００２１】
情報送受信部１１０は、インターネット５０を介してプロジェクター１０によって指定されたコンテンツ情報をプロジェクター１０に送信する機能を有する。
【００２２】
（プロジェクターについて）
本実施形態のプロジェクター１０は、主として送受信部１１、制御部１３、映像信号検出部１５、映像信号処理部１７、ＯＳＤ処理部２１、コンテンツ情報処理部２３、撮像部２５、位置情報取得部２６及び画像形成部２７を備えている。
送受信部１１は、ネットワーク５０を介して、コンテンツサーバー１００から定期的に配信されるＲＳＳデータ１２０を受信する。送受信部１１は、コンテンツ指示部２５によって受信するコンテンツ情報１３０のジャンルや配信元が設定されている場合には、かかる設定に従ってＲＳＳデータの受信を行う。
【００２３】
なお、送受信部１１は、所定のアルゴリズムによって、受信するＲＳＳデータ１２０を自動的に選択するものとしてもよい。例えば、ユーザーによって登録されたキーワードに関連するＲＳＳデータ１２０を自動的に受信するものとしてもよいし、検索サイトでヒット数の多いサイトに関連するＲＳＳデータを自動的に受信するものとしてもよい。また、更新時刻の新しいＲＳＳデータを優先して受信してもよいし、受信するＲＳＳデータを全くランダムに選択するものとしてもよい。
【００２４】
制御部１３は、送受信部１１、映像信号検出部１５、位置情報取得部２６からの信号を監視し、各部の動作を制御する。
また本実施形態では、後述する位置情報取得部２６が取得した位置情報と関連する特定のＲＳＳ領域のコンテンツ概要情報を特定すると、コンテンツ概要情報に対応するコンテンツ情報だけを送受信部１１を介してコンテンツサーバー１３０から受信する。
【００２５】
映像信号検出部１５は、ＴＶチューナーや、ビデオテーププレーヤーや、ＤＶＤプレーヤーなどの映像供給装置４０から入力される映像信号を検出する。
映像信号処理部１７は、入力された映像信号に対して輝度調整、コントラスト調整、シャープネス調整等の画質調整や台形歪補正等の画像処理を行う。
ＯＳＤ処理部２１は、投写データ生成手段として機能し、メニュー画面やメッセージ画面等からなるＯＳＤ（On Screen Display）画像を、映像処理部１７において処理された映像信号に重畳させた投写データを生成する。
【００２６】
また、本実施形態のＯＳＤ処理部２１は、コンテンツ情報処理部２３を有している。コンテンツ情報処理部２３は、送受信部１１がコンテンツサーバー１００から受信したＲＳＳデータを、ＯＳＤ画像として映像信号に重畳させた投写データを生成する。
【００２７】
具体的には、送受信部１１がコンテンツサーバー１００から受信したＲＳＳデータ（コンテンツＡ概要情報１２１、コンテンツＢ概要情報１２２、コンテンツＣ概要情報１２３）を映像信号に重畳させる。さらに、コンテンツ情報処理部２３は、投写画像に重畳されているＲＳＳ領域のうち何れかを指示する位置情報の入力があると、指示されたＲＳＳ領域に対応するコンテンツ情報を送受信部１１を介してダウンロードする。なお、一度重畳させたＲＳＳデータやコンテンツ情報を投写画像から消したい場合は、削除指示にしたがって、ＲＳＳデータ及びコンテンツ情報を表示させない構成とすることができる。
【００２８】
画像形成部２７は、投写手段として機能し、ＯＳＤ処理部２１が映像信号に対してＲＳＳデータを重畳させた投写データに基づいて、光源からの光を変調して投写面２０に画像を投写する。
撮像部２５は、外部からの撮像指示によって不定期に、又は制御部１３からの信号に応じて定期的に、投写面２０に投写された投写画像を撮像する。取得した撮像データに歪みがある場合は、図示せぬ台形歪補正手段が歪みを補正するための台形歪補正処理を行うことができる。特に本実施形態では、制御部１３からの信号に応じて定期的に投写面２０を撮像することによって、レーザーポインター２００から発射されるレーザー光が投写画像の特定の領域を指示する投写画像を撮像することができる。
【００２９】
通常、レーザーポインター２００は、投写面２０上の所望の場所に向けて点灯させることにより、ユーザーが特定したい箇所をレーザー光により指示しながら発表を行う場合などに使用される。このため、鑑賞者は一方的に映し出される投写データを鑑賞するだけであったが、本実施形態では、レーザー光により指示した特定の領域に対応する位置情報を撮像データから取得し、取得した位置情報に応じて次に投写する投写データを生成する。
【００３０】
位置情報取得部２６は、認識手段として機能し、上述したレーザー光により特定の領域が指示された投写画像を撮像した撮像データから、指示された特定の領域の位置情報を取得する。本実施形態において特定の領域は、上述したＲＳＳ領域２４のうちＲＳＳデータが表示されている何れかの領域を意味する。位置情報を取得する方法としては、例えば、レーザーポインター２００によって特定の領域が指示される前の投写データと、レーザーポインター２００によって特定の領域が指示されたときの撮像データと、を比較し、２つのデータの差分を抽出することによって指示されたポイントの座標（位置情報）を取得することができる。
【００３１】
図３は、投写面にＲＳＳデータが重畳された投写画像を投写している様子を示した図であり、図４は、特定のＲＳＳ領域をレーザーポインターで指示している様子を示した図である。
ＯＳＤ処理部２１がＲＳＳデータを重畳させ、画像形成部２７によってＲＳＳデータを含む投写データが投写されると、図３に示すようにメイン領域２８にＲＳＳ領域２４が重なって表示される。ＲＳＳ領域２４には、コンテンツサーバー１００から受信したコンテンツＡ概要情報１２１〜１２７が表示されている。
【００３２】
図４に示すように、レーザーポインター２００などで投写面２０に投写された投写画面のＲＳＳ領域２４から、取得したいコンテンツ情報が表示されている特定のＲＳＳ領域Ｚを選択することができる。例えば、コンビニエンスストアー等の店舗に投写面２０を設置した場合を想定すると、投写画像を鑑賞する者が複数存在していても、複数のＲＳＳデータの中から取得したい情報を選択することができる。
【００３３】
撮像部２５は、図４に示したレーザーポインター２００によって特定のＲＳＳ領域Ｚが指示されたときの投写画像を撮像する。位置情報取得部２６は、不図示のフレームメモリに記憶されている図３に示した投写画像に対応する投写データと、撮像データとを比較し、差分データを抽出し、レーザーポインター２００によって指示されたポイントＰの位置情報（座標）を取得する。
【００３４】
（ＲＳＳデータを投写する方法について）
次に、投写画像上にＲＳＳデータを投写する方法について説明する。図５は、投写画像上にＲＳＳデータを投写する方法を説明するためのフローチャートであり、図６は、図５のフローにしたがってコンテンツ情報が投写された投写画像の一例を示した図である。
【００３５】
まず、映像信号検出部１５が映像供給装置４０から送信される映像信号を検出すると、映像信号処理部１７が画像処理を行い投写データを生成し、画像形成部２７によって投写面２０に対して投写する（ステップＳ１１）。送受信部１１は、コンテンツサーバー１００の情報送受信部１１０よりＲＳＳデータを受信すると（ステップＳ１２：Ｙｅｓ）、コンテンツ情報処理部２３が映像信号にコンテンツ概要情報を重畳させ、画像形成部２７によって投写面２０に投写する（ステップＳ１３）。
【００３６】
図３に示したように、コンテンツサーバー１００からコンテンツＡ概要情報１２１を受信すると、コンテンツＡの概要情報１２１がメイン領域２８上のＲＳＳ領域２４に重ねて表示される。また、コンテンツＢ概要情報１２２を受信すると、コンテンツＢの概要情報１２１がメイン領域２８上のＲＳＳ領域２４に重ねて表示される。同様に、コンテンツ概要情報１２３〜１２７が並んでＲＳＳ領域２４に表示される。
なお、各コンテンツ概要情報１２１〜１２７は、ＲＳＳ領域２４内に分割されて互いに重なることなく、並列的に表示することが好ましい。互いに重なることなく並列的に表示することによって、複数のユーザーが１つの投写面２０で複数種類のコンテンツ概要情報を同時に参照することができる。
上述した通り、飲食店等において多くの客人が１つの投写面２０を観賞するような場合は、客人毎に興味を持つコンテンツが異なることがあり、できるだけ多くの人にリアルタイムで情報を提供するためである。本実施形態のプロジェクター２０によれば、このような要請に対応することができる。
【００３７】
なおユーザーは、図３に示したＲＳＳ領域２４をメイン領域２８内に重ねて表示させたくない場合は、例えばプロジェクター１０あるいは不図示のリモートコントローラーのＥＳＣボタンを操作して、ＲＳＳデータの消去を指示することもできる。
制御部１３は、ＥＳＣボタンの入力を検出すると（ステップＳ１４：Ｙｅｓ）、ＯＳＤ処理部２１はＲＳＳ領域２４を消去する（ステップＳ１５）。一方ステップＳ１４において、ＲＳＳデータを消去する指示がない場合は（ステップＳ１４：Ｎｏ）、ステップＳ１６を実行する。
【００３８】
ここで、ユーザーが投写画像を観賞している最中に、表示されているコンテンツＡあるいはＢの概要情報を見て、さらにそのコンテンツの詳しい情報を収集したいと考えたとする。ユーザーは、レーザーポインター２００によって、収集したいコンテンツ概要情報が表示されている領域を選択する。
具体的には、図６に示すようにＲＳＳ領域２４に表示されているコンテンツＣの概要情報を参照して、「スポーツ××××」に関する詳細情報が欲しいと考えた場合、ユーザーは、レーザーポインター２００を使って、ＲＳＳ領域２４の「スポーツ××××」部分を指示する。
【００３９】
撮像部２５は、レーザーポインター２００によって「スポーツ××××」部分が指示された状態の投写画像を撮像する（ステップＳ１６）。位置情報取得部２６は撮像データと、投写データと、の間の差分を抽出し、レーザーポインター２００のレーザー光が指示するポイントＰの位置情報を取得する（ステップＳ１７）。撮像データと、投写データとの間に差分があった場合は、制御部１３はコンテンツの選択入力を受信したと判定する（ステップＳ１８：Ｙｅｓ）。
制御部１３からの通知に応じてコンテンツ情報処理部２３は、投写画像に重畳されたＲＳＳ領域のうち、ポイントＰを含む領域Ｚに対応したコンテンツ概要情報の詳細情報（コンテンツ情報）を送受信部１１を介してダウンロードする（ステップＳ１９）。
一方、ステップＳ１８において、撮像データと、投写データとの間に差分がなかった場合は、コンテンツの選択入力を受信しなかったと判定し（ステップＳ１８：Ｎｏ）、定期的にＲＳＳデータを受信しながら、ステップＳ１２〜ステップＳ１８を繰り返し実行する。
【００４０】
ここでは、コンテンツＣ概要情報１２３「スポーツ××××」の詳細情報であるコンテンツＣ１３３を受信すると（ステップＳ１９）、図６に示すようにメイン領域２８の上部にコンテンツ情報を表示する（ステップＳ２０）。図６の例では、「スポーツ××××」と表示されているコンテンツＣ概要情報１２３（特定のＲＳＳ領域Ｚ）を指示すると、投写面２０の上部にコンテンツ詳細情報欄２２が表示され、コンテンツＣのコンテンツ詳細情報が表示される。
【００４１】
なお、図６では１種類のコンテンツ詳細情報欄２２が表示されているが、１度に複数のコンテンツ詳細情報欄を投写面２０に投写させることもできる。通常、プロジェクター１０によって投写できるサイズは約１００インチ程度まで可能である。このため、複数のコンテンツ概要情報が選択され、１００インチの投写画面中に、複数のコンテンツ詳細情報欄が表示されても、メイン領域に投写される画像の鑑賞に差し支えない範囲で表示することができる。このように、本実施形態のプロジェクター１０は、コンビニエンストアーやスポーツバーのように多くの鑑賞者が集まるような場所に設置され、大画面で投写される場合に特に効果的である。
【００４２】
このように、本実施形態によれば、インターネット５０上から取得したＲＳＳデータを映像信号に重畳することができるので、映像信号の投写中であっても取得したいＲＳＳ情報を投写画面上にリアルタイムに表示することが可能となる。さらに、重畳されたＲＳＳデータに関するコンテンツ詳細情報を投写することができるので、選択したコンテンツの詳細な情報もリアルタイムに取得することができる。
【００４３】
また、映像信号を投写しつつ、ＲＳＳデータを投写させることができるので、最新ニュースの見出しや記事リンク、番組情報、新製品情報、ブログの更新情報などを速やかに行うことができる。さらに、ＲＳＳデータを複数の領域に分割して投写させることができるので、複数のユーザーが１つの投写面２０で複数種類のＲＳＳデータを同時に参照することができる。
【００４４】
（第２の実施形態）
上述した実施形態では、特定のＲＳＳ領域を選択する手段として、レーザーポインター２００を採用したが、これに限られない。例えば、投写画像を参照しながら、プロジェクター１０に向けてリモートコントローラーによって該当するＲＳＳ領域を選択することもできる。
【００４５】
図７は、上記第２の実施形態の投写システムを構成するプロジェクター、プロジェクターのリモートコントローラー及びコンテンツサーバーの機能構成を示すブロック図である。なお、第２の実施形態では、第１の実施形態と同じ機能構成については説明が重複するため省略することとする。
【００４６】
（プロジェクターについて）
本実施形態のプロジェクター３００は、送受信部１１、制御部１３、映像信号検出部１５、映像信号処理部１７、ＯＳＤ処理部２１、コンテンツ情報処理部２３及び画像形成部２７の他、リモコン信号受信部２９を備えている。
【００４７】
本実施形態では、リモコン信号受信部２９、制御部１３及びコンテンツ情報処理部２３が、認識手段として機能する。図３に示した通り、メイン領域に重畳されたＲＳＳ領域を含んだ投写画像に基づいて、何れかのＲＳＳデータ１２１〜１２７を選択する指示をリモコン信号受信部２９を介して受信すると、制御部１３はコンテンツ情報処理部２３へ選択指示を通知する。コンテンツ情報処理部２３は、選択指示の通知を受けて、選択されたＲＳＳデータを特定し、リンク先のコンテンツ情報をコンテンツサーバー１００からダウンロードする。
リモコン信号受信部２９は、リモートコントローラー７０のリモコン送信部７７が出力するリモコン信号を受信して、制御部１３へ送信する。
【００４８】
（リモートコントローラーについて）
次に、リモートコントローラーの機能構成を説明する。
リモートコントローラー７０は、主としてプロジェクター１０に信号を送信するリモコン送信部７７と、操作入力部７１と、送受信する各種信号やユーザーが操作入力部７１の操作で設定した情報等を格納する記憶部７５と、各部の動作を制御するリモコン制御部７３とを備えている。
操作入力部７１は、電源ボタン、メニューボタン、選択操作ボタン、入力検出ボタンや、設定部２３に配置されている各種の設定ボタンにより構成される。
【００４９】
（ＲＳＳデータを投写する他の方法について）
次に、投写画像上にＲＳＳデータを投写する他の方法について説明する。図８は、投写画像上にＲＳＳデータを投写する他の方法を説明するためのフローチャートである。
【００５０】
まず、映像信号検出部１５が映像供給装置４０から送信される映像信号を検出すると、映像信号処理部１７が画像処理を行い投写データを生成し、画像形成部２７によって投写面２０に対して投写する（ステップＳ３１）。送受信部１１は、コンテンツサーバー１００の情報送受信部１１０よりＲＳＳデータを受信すると（ステップＳ３２：Ｙｅｓ）、コンテンツ情報処理部２３が映像信号にコンテンツ概要情報を重畳させ、画像形成部２７によって投写面２０に投写する（ステップＳ３３）。
【００５１】
図３に示したような投写画面が投写されたが、ＲＳＳデータの消去する指示がない場合は（ステップＳ３４：Ｎｏ）、ステップＳ３６を実行する。一方、制御部１３は、ＲＳＳデータの消去するＥＳＣボタンの入力を検出すると（ステップＳ３４：Ｙｅｓ）、ＯＳＤ処理部２１がＲＳＳ領域２４を消去する（ステップＳ３５）。
【００５２】
次に、ユーザーは投写画面３０を観賞している最中に、表示されているコンテンツＡあるいはＢの概要情報を見て、さらにそのコンテンツの詳しい情報を収集したいと考えると、リモートコントローラー７０の操作入力部７１である選択操作ボタンから、収集したいコンテンツ概要情報が表示されている領域を選択する。
【００５３】
リモコン送信部７７を介して、ＲＳＳ領域２４の特定のＲＳＳ領域を選択するリモコン信号がプロジェクターに送信されると、リモコン信号受信部２９が制御部１３にリモコン信号を入力する。制御部１３はコンテンツの選択入力を受信したと判定し（ステップＳ３６：Ｙｅｓ）、コンテンツ情報処理部２３に通知する。コンテンツ情報処理部２３は、送受信部１１を介してコンテンツサーバー１００にアクセスし、コンテンツＣのコンテンツ情報をダウンロードする（ステップＳ３７）。
一方、ステップＳ１３において、コンテンツの選択入力を受信しなかった場合は（ステップＳ３６：Ｎｏ）、定期的にＲＳＳデータを受信しながら、ステップＳ３２〜ステップＳ３６を繰り返し実行する。
【００５４】
コンテンツＢのコンテンツ情報を受信すると（ステップＳ３７）、コンテンツ情報処理部２３はコンテンツ詳細情報を重畳させ、画像形成部２７によって図６に示すようにメイン領域２８の上部に重ねてコンテンツ情報が表示される（ステップＳ３８）。
【符号の説明】
【００５５】
１：投写システム、１０：プロジェクター、１１：送受信部、１３：制御部、１５：映像信号検出部、１７：映像信号処理部、２０：投写面、２１：ＯＳＤ処理部、２２：ＲＳＳ領域、２３：コンテンツ情報処理部、２４：ＲＳＳ領域、２５：コンテンツ指示部、２６：位置情報取得部、２７：画像形成部、２９：リモコン信号受信部、３０：投写画像、４０：映像信号供給部、５０：インターネット、７０：リモートコントローラー、７１：操作入力部、７３：リモコン制御部、７５：記憶部、７７：リモコン送信部、１００：コンテンツサーバー、１１０：情報送受信部、１２０：ＲＳＳデータ、１３０：コンテンツ情報、２００，３００：コンテンツサーバー。
【図１】
2010197439.tif 000003
【図２】
2010197439.tif 000004
【図３】
2010197439.tif 000005
【図４】
2010197439.tif 000006
【図５】
2010197439.tif 000007
【図６】
2010197439.tif 000008
【図７】
2010197439.tif 000009
【図８】
2010197439.tif 000010